(57)【要約】【課題】昇降機構によって下段引出内の被収納物が上昇しても、上段引出と衝突しないよう被収納物を保護することが可能な収納庫を提供する。【解決手段】被収納物を収納可能な引出を上下に隣接してスライド自在に収容可能な収納庫であるベースキャビネット１３０であって、少なくとも下段引出１３４の内部に設けられた、被収納物を載置可能な載置部材１５０と、下段引出１３４がベースキャビネット１３０から引き出される動作に連動して載置部材１５０を上昇させ、また、下段引出１３４がベースキャビネット１３０へ押し込まれる動作に連動して載置部材１５０を下降させる昇降機構１５１と、を備え、載置部材１５０の奥側上端縁は、下段引出１３４が引き出された際に、上段引出１３２の前板の下端部より高い位置まで上昇可能である。【選択図】図６
2010183983.tif 000002
【特許請求の範囲】
【請求項１】
被収納物を収納可能な引出を上下に隣接してスライド自在に収容可能な収納庫であって、
少なくとも下段引出の内部に設けられた、被収納物を載置可能な載置部材と、
前記下段引出が当該収納庫から引き出される動作に連動して前記載置部材を上昇させ、また、該下段引出が当該収納庫へ押し込まれる動作に連動して該載置部材を下降させる昇降機構と、
を備え、
前記載置部材の奥側上端縁は、前記下段引出が引き出された際に、上段引出前板の下端部より高い位置まで上昇可能であることを特徴とする収納庫。
【請求項２】
前記載置部材の背面には、衝撃を吸収する緩衝材が配置されていることを特徴とする請求項１に記載の収納庫。
【請求項３】
前記載置部材の背面側に、前記載置部材と一体的に昇降するガード部材をさらに備え、
前記ガード部材の上端部が、前記上段引出前板の下端部より高い位置まで上昇することを特徴とする請求項１に記載の収納庫。
【請求項４】
前記ガード部材は、前記上段引出が引き出されていない状態において、前記下段引出が前記収納庫へ押し込まれる際、該上段引出に接触しない軌跡を描くことを特徴とする請求項３に記載の収納庫。
【請求項５】
前記載置部材は、前記下段引出の前板の背面に隣接する位置に設けられることを特徴とする請求項１に記載の収納庫。
【発明の詳細な説明】
【技術分野】
【０００１】
本発明は引出を備えた収納庫であって、特に引出に収納した被収納物を取り出しやすくすることが可能な収納庫に関する。
【背景技術】
【０００２】
キッチンで使用される調理器具には、ボールやざる、長手の形状を有する杓子類（レードル）、菜箸、ラップ、調味料などの小物類、包丁など、様々なものがある。これらの器具や小物を収納するために、キッチンには多くの収納スペースが設けられている。このため天板（システムキッチンにおいてはワークトップ）の下には、引出や開き戸が設けられるのが通常である。近年はキッチンの使用態様の研究がすすみ、引出などに収納される被収納物をある程度想定し、引出の大きさや仕切りの形状を工夫することにより、使い勝手の向上を図ることが行われている。そのような例として、コンロを有するコンロキャビネットには鍋などを入れる大きな引出や開き戸を設けたり、調理スペースを有するベースキャビネットには食器や調理器具を入れる浅い引出を多く設けたりしている。
【０００３】
上記の中でも、ベースキャビネットは、複数の引出を水平および垂直方向に並行して設けることで高い空間効率を得ることができる。これにより、上記の調理器具以外にも、碗、皿、カップ等の食器類、鍋、フライパン等の大き目の調理器具、塩、胡椒等の調味料、食品、調味料等の瓶詰め又は缶詰容器など、大小様々な被収納物を上方から容易に収納することができる。
【０００４】
しかし、複数の引出を垂直方向に並列して設けた場合、使用者の腰よりも低い位置に設けられた引出に収納した被収納物を取り出すためには、使用者は、腰を曲げ、屈んだ姿勢を取らなければならない。キッチンにおいて時間に追われながら作業をしている使用者にとって、被収納物を取り出す度にこのような動作を行うことは煩わしく、作業効率の低下を招いてしまう。
【０００５】
また上記のような動作は腰への負荷が大きい。このため、使用者が、健康な人間の場合にはさほど負担にならないかもしれないが、身体能力が低下し、身体の自由がきかない高齢者等であった場合、かかる動作は大きな負担となってしまう。
【０００６】
特許文献１には、身体的負担を軽減させるために、引出を使用する高さまで上昇させる構成が記載されている。特許文献１には、引出を使用高さまで上昇させ、使用後には下降させる昇降機構および、引出の昇降を補助する（付勢する）補助手段に関する機構が記載されている。
【先行技術文献】
【特許文献】
【０００７】
【特許文献１】特開２００７−６８８４３号公報
【発明の概要】
【発明が解決しようとする課題】
【０００８】
特許文献１によれば、引出全体が上昇するため、極端に腰をかがめるなどの姿勢を取ることなく被収納物の出し入れが可能であり、身体的負担の軽減に関してはある程度達成されているものと考えられる。しかしながら、下段引出が使用高さまで完全に上昇しきっていないときに上段引出を誤って引き出してしまった場合は、下段引出に収納されている被収納物に上段引出の下端部が接触し、被収納物が破損してしまうおそれがある。
【０００９】
また、引き出した引出全体を上昇させる際に、大きな力を必要としてしまう。これに必要な労力は、腰をかがめるなどの姿勢を取ることよりも多大なものとなってしまいかねない。
【００１０】
本発明は、このような課題に鑑み、被収納物を収納可能な引出を上下に隣接して収容可能な収納庫であって、昇降機構によって下段引出内の被収納物が上昇しても、上段引出と衝突しないよう被収納物を保護することが可能な収納庫を提供することを目的としている。
【課題を解決するための手段】
【００１１】
上記課題を解決するために、本発明にかかる収納庫の代表的な構成は、被収納物を収納可能な引出を上下に隣接してスライド自在に収容可能な収納庫であって、少なくとも下段引出の内部に設けられた、被収納物を載置可能な載置部材と、下段引出が当該収納庫から引き出される動作に連動して載置部材を上昇させ、また、下段引出が当該収納庫へ押し込まれる動作に連動して載置部材を下降させる昇降機構と、を備え、載置部材の奥側上端縁は、下段引出が引き出された際に、上段引出前板の下端部より高い位置まで上昇可能であることを特徴とする。
【００１２】
上記構成によれば、下段引出を引き出している状態で誤って上段引出を引き出した場合であっても、上昇した載置部材に上段引出が接触することにより、載置部材に収納された被収納物は、上段引出との接触による破損の危険から保護される。
【００１３】
上記載置部材の背面には、衝撃を吸収する緩衝材が配置されているとよい。かかる構成により、載置部材に上段引出が接触した際の衝撃を和らげ、被収納物だけでなく、載置部材も保護することができる。
【００１４】
上記載置部材の背面側に、載置部材と一体的に昇降するガード部材をさらに備え、ガード部材の上端部が、上段引出前板の下端部より高い位置まで上昇することとしてもよい。
【００１５】
かかる構成によれば、下段引出を引き出した状態で誤って上段引出を引き出してしまった場合であっても、ガード部材が衝撃を受け止めることで、載置部材に上段引出が接触することを避けることができ、載置部材および被収納物をより十全に保護することができる。
【００１６】
上記ガード部材は、上段引出が引き出されていない状態において、下段引出が収納庫へ押し込まれる際、上段引出に接触しない軌跡を描くようにするとよい。かかる構成により、ガード部材は、載置部材に収納できる被収納物の高さの目安を示すことができる。
【００１７】
上記載置部材は、天面が開放された箱状のポケットであるとよい。かかる構成によれば、下段引出が収納庫から引き出されることによって、下段引出内に収納された被収納物のうち、ポケットに収納された被収納物のみが上昇することとなる。したがって、昇降機構によって上昇させる被収納物の重量が低減され、引出を引き出すために要する力を低下させることができる。また、ポケットに被収納物を収納することができ、引出内の整理整頓が可能となる。
【００１８】
上記載置部材は、下段引出の前板の背面に隣接する位置に設けられるとよい。かかる構成により、下段引出をすべて引き出すことなく被収納物の出し入れを行うことができる。
【発明の効果】
【００１９】
本発明によれば、被収納物を収納可能な引出を上下に隣接して収容可能な収納庫において、昇降機構によって下段引出内の被収納物が上昇しても、上段引出と衝突しないよう被収納物を保護することが可能な収納庫を提供することができる。
【図面の簡単な説明】
【００２０】
【図１】本実施形態に係る収納庫を備えるキッチンを示す図である。
【図２】ベースキャビネットの分解斜視図である。
【図３】昇降機構を示した断面図である。
【図４】載置部材と支持部材とを下段引出に取り付けた状態を示す図である。
【図５】載置部材を説明する図である。
【図６】第１の実施形態を示す斜視図である。
【図７】第２の実施形態を示す下段引出の斜視図である。
【図８】第３の実施形態のベースキャビネットの斜視図である。
【図９】第３の実施形態を示すベースキャビネットの断面図である。
【発明を実施するための形態】
【００２１】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２２】
図１は本実施形態に係る収納庫を備えるキッチンを示す図である。キッチン１００は一枚の天板１１０（ワークトップ）の下に複数の収納庫（キャビネット）を備えた、いわゆるシステムキッチンである。天板１１０は合成樹脂（人工大理石）やステンレスなどからなり、キッチン１００の全体の上面を覆っている。
【００２３】
天板１１０には、組み込み式に取り付けられたコンロ１１２、調理スペース１１４、天板１１０に一体形成されたシンク１１６が設けられる。シンク１１６とコンロ１１２の間に位置する調理スペース１１４は平坦なテーブル面であり、主に調理を行うのに利用される。
【００２４】
天板１１０の下は、コンロ１１２本体が設置されているコンロキャビネット１２０と、調理スペース１１４に対応したベースキャビネット１３０と、シンク１１６が設置されているシンクキャビネット１４０といった各収納庫で構成される。各収納庫は収納スペースとして機能し、収納庫内の空きスペースには、コンロ１１２への配線や、シンク１１６および水栓への給排水管なども収容されている。このように、天板１１０の下では、天板１１０の上のシンク１１６やコンロ１１２といった各構成に対応した収納庫がその高さおよび奥行きを等しくして複数設けられている。
【００２５】
各収納庫は、被収納物を収納するために、様々な大きさの引出をスライド自在に設けている。例えばコンロキャビネット１２０は、上部にコンロ１１２のグリル１１２ａおよび操作パネル１１２ｂを備え、その脇には調味料などの小物を収納するための小さな引出であるスパイスボックス１２２が配設されている。コンロキャビネット１２０の中央部、すなわちグリル１１２ａの下には幅の広い大きな引出１２４が配設され、鍋やボールなどの比較的大きな調理器具を収納することが可能になっている。またコンロキャビネット１２０の下部の床近傍には、引出式の足元収納であるフロアコンテナ１２６が配設されている。
【００２６】
同様に、ベースキャビネット１３０には複数の比較的小さな上段引出１３２、下段引出１３４およびフロアコンテナ１３６が備え付けられている。シンクキャビネット１４０にはフロアコンテナ１４６および、それから天板１１０に到る高い前板を備えた引出１４４が備え付けられている。
【００２７】
次に、本実施形態の特徴である収納庫について説明する。上記したコンロキャビネット１２０、ベースキャビネット１３０、シンクキャビネット１４０のうち、ベースキャビネット１３０を例にとって説明する。
【００２８】
図２はベースキャビネット１３０の分解斜視図、図３は昇降機構を示した断面図、図４は載置部材と支持部材とを下段引出１３４に取り付けた状態を示す図である。上述したように、ベースキャビネット１３０には上段引出１３２、中央の下段引出１３４、その下のフロアコンテナ１３６がスライド自在に収容される。
【００２９】
そして下段引出１３４には、その内部にさらに被収納物を載置可能な載置部材１５０を配置している。昇降機構１５１は、下段引出１３４がベースキャビネット１３０から引き出される動作に連動して載置部材１５０を上昇させ、また、下段引出１３４がベースキャビネット１３０へ押し込まれる動作に連動して載置部材１５０を下降させる。昇降機構１５１は、支持部材１６０とレール１９４とから構成される。支持部材１６０は、摺動部材１６４と、梁１６２ａ、１６２ｂと、摺動部材１６４から奥側に向かって連結されたアーム１６８と、アーム１６８の奥側に設けられた複数のプーリ１７０、１７２とを有している。一方、レール１９４は、ベースキャビネット１３０内の壁板１３０ａに配置されている。支持部材１６０の各要素およびレールは下段引出１３４の左右方向に対称に構成されており、梁１６２ａ、１６２ｂを除いて左右両側にそれぞれ２つ（鏡面対称に）配置されている。なお、上段引出１３２、下段引出１３４、フロアコンテナ１３６そのものを出し入れするためのレール機構は一般的なものでよいため、図示を省略している。
【００３０】
摺動部材１６４は下段引出１３４の両側に配置され、これらを２つの梁１６２ａ、１６２ｂで接続することによって、載置部材１５０を収容する枠体を形成している。下側の梁１６２ｂは、枠体の剛性を高めると共に、載置部材１５０の後面を支持して、回転してしまうことを防止している。
【００３１】
摺動部材１６４は、下段引出１３４に固定設置される柱部材１６６によって上下方向に摺動可能に構成されている。これにより支持部材１６０全体および載置部材１５０が、柱部材１６６に対して上下方向に摺動可能である。柱部材１６６は、下段引出１３４の前板１３４ａの後面に固定設置される。
【００３２】
図５は載置部材を説明する図である。載置部材１５０は、天面が開放された箱状であって、いわゆるポケット形状を成している。本実施形態においては載置部材１５０の上縁の一辺に鈎状のＬ字部１５２が形成されており、図３に示すようにＬ字部１５２を支持部材の梁１６２ａに吊下することによって載置部材１５０が支持部材１６０に対して着脱可能に構成されている。これにより、載置部材１５０が交換可能となるため、形状や容積、取り付ける個数などを選択することができる。また載置部材１５０を取り外せることから、清掃も容易となる。
【００３３】
また載置部材１５０のＬ字部１５２側は、上段引出１３２との衝突に備えて、衝撃に強い構造とするが好ましい。かかる構成により、被収納物をより確実に保護することができる。
【００３４】
図６は、ベースキャビネット１３０の斜視図である。下段引出１３４を引き出した状態で、誤って上段引出１３２を引き出したとしても、載置部材１５０の奥側かつ上端縁の位置１５３が、上段引出１３２の前板下端部１５５より高い位置となっている。上段引出１３２は被収納物に接触せず、載置部材１５０に接触する。これにより、被収納物を破損から保護することができる。
【００３５】
なお上記構成において、載置部材１５０の高さは梁１６２ａの最大高さによって決定される。梁１６２ａの最大高さは、摺動部材１６４の柱部材１６６に対する可動範囲の上限と、柱部材１６６の前板１３４ａに対する取り付け位置（高さ）によって決定する。したがって端的に上記条件を達成するためには、柱部材１６６の前板１３４ａに対する取り付け位置を適切に設定することにより、載置部材１５０の奥側かつ上端縁の位置１５３を、上段引出１３２の前板下端部１５５より高い位置にすることができる。
【００３６】
（第２の実施形態）
本発明に係る収納庫の第２実施形態について説明する。上記第１実施形態と説明の重複する部分については、同一の符号を付して説明を省略する。図７は、第２の実施形態における下段引出１３４の斜視図であり、図６とは別の角度から見た図である。
【００３７】
上記第１実施形態においては、引き出した上段引出１３２は、載置部材１５０に直接衝突する構成であった。これに対し第２の実施形態は、載置部材１５０に対する衝撃を緩和するものである。
【００３８】
図７に示すように、本実施形態では載置部材１５０の背面のＬ字部１５２に緩衝材１８０を配置している。緩衝材１８０を略長方形の形状に加工し、載置部材１５０背面のＬ字部１５２に接着剤等を塗布し固定してある。なお固定方法としては、例えばネジなどを用いて固定してもよいし、専用の固定具を用いて固定してもよい。緩衝材１８０の材質としては、発泡樹脂やゲル状の樹脂、エアーパッキン、ゴムなどの衝撃を吸収する素材であれば用いることができる。
【００３９】
上記のように緩衝材１８０を配置することにより、仮に載置部材１５０が上昇しているときに上段引出１３２を引き出したとしても、上段引出１３２は緩衝材１８０を介して載置部材１５０に衝突する。したがって上段引出１３２と載置部材１５０が接触した際の衝撃を吸収することができ、被収納物だけでなく載置部材１５０自体を保護することもできる。さらに、緩衝材１８０が衝撃を吸収することにより、載置部材１５０だけでなく、上段引出１３２も保護することができる。
【００４０】
（第３の実施形態）
本実施形態に係る収納庫の第３実施形態について説明する。上記第１実施形態と説明の重複する部分については、同一の符号を付して説明を省略する。図８は、第３の実施形態におけるベースキャビネット１３０の斜視図であり、上段引出１３２、下段引出１３４を引き出した状態を示している。本実施形態では載置部材１５０の背面に、載置部材１５０を保護するガード部材１８２を備えた例である。
【００４１】
図８に示すように、支持部材１６０にはガード部材１８２が取り付けられており、載置部材１５０と共に昇降するように構成されている。本実施形態におけるガード部材１８２は、板状の形状を有し、上端部が上段引出１３２の前板の下端部より高い位置まで上昇する高さを下限として設定している。
【００４２】
上記の構成により、ガード部材１８２は、下段引出１３４を引き出している状態で上段引出１３２を誤って引き出した場合、上段引出１３２からの衝撃を受け止めることができる。ガード部材１８２が上段引出１３２と接触することで、直接載置部材１５０に衝撃がかかることがなくなり、被収納物や載置部材１５０を十全に保護することができる。
【００４３】
図９は第３の実施形態におけるベースキャビネットの断面図である。ガード部材１８２はベースキャビネット１３０へ収納する際に、上段引出１３２と接触しない軌跡１８４を描く高さを上限として設定している。
【００４４】
さらにガード部材１８２は、使用者に対し、被収納物が上段引出１３２に衝突しないための被収納物の高さの目安とすることができる。予めガード部材１８２の上端より上にはみ出さないように被収納物を載置部材１５０に収納しておけば、被収納物は上段引出１３２と接触しないからである。そこでガード部材１８２の前面に、使用者に高さの目安を告知するために「被収納物の高さをここまでにして下さい」等の表示をすることが好ましい。
【００４５】
なお、上記実施形態においてはベースキャビネット１３０の下段引出１３４について説明したが、上段引出１３２やフロアコンテナ１３６に載置部材１５０を設けてもよく、また他の収納庫であるコンロキャビネット１２０やシンクキャビネット１４０の引出に載置部材１５０を設けてもよい。
【００４６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４７】
本発明は引出を備えた収納庫であって、特に引出に収納した被収納物を取り出しやすくすることが可能な収納に利用することができる。
【符号の説明】
【００４８】
１００  …キッチン、１１０  …天板、１１２  …コンロ、１１２ａ  …グリル、１１２ｂ  …操作パネル、１１４  …調理スペース、１１６  …シンク、１２０  …コンロキャビネット、１２２  …スパイスボックス、１２４  …引出、１２６  …フロアコンテナ、１３０  …ベースキャビネット、１３０ａ  …壁板、１３２  …上段引出、１３４  …下段引出、１３４ａ  …前板、１３６  …フロアコンテナ、１４０  …シンクキャビネット、１４４  …引出、１４６  …フロアコンテナ、１５０  …載置部材、１５１  …昇降機構、１５２  …Ｌ字部、１６０  …支持部材、１６２ａ  …梁、１６２ｂ  …梁、１６４  …摺動部材、１６６  …柱部材、１６８  …アーム、１７０   …プーリ、１７２  …プーリ、１８０  …緩衝材、１８２  …ガード部材、１８４  …軌跡、１９４  …レール
【図１】
2010183983.tif 000003
【図２】
2010183983.tif 000004
【図３】
2010183983.tif 000005
【図４】
2010183983.tif 000006
【図５】
2010183983.tif 000007
【図６】
2010183983.tif 000008
【図７】
2010183983.tif 000009
【図８】
2010183983.tif 000010
【図９】
2010183983.tif 000011
【手続補正書】
【提出日】平成21年3月5日(2009.3.5)
【手続補正１】
【補正対象書類名】明細書
【補正対象項目名】００２５
【補正方法】変更
【補正の内容】
【００２５】
各収納庫は、被収納物を収納するために、様々な大きさの引出をスライド自在に設けている。例えばコンロキャビネット１２０は、上部にコンロ１１２のグリル１１２ａおよび操作パネル１１２ｂを備え、その脇には調味料などの小物を収納するための小さな引出であるスパイスボックス１２２が配設されている。コンロキャビネット１２０の中央部、すなわちグリル１１２ａの下には幅の広い大きな引出１２４が配設され、鍋やボールなどの比較的大きな調理器具を収納することが可能になっている。またコンロキャビネット１２０の下部の床近傍には、引出式の足元収納庫１２６が配設されている。
【手続補正２】
【補正対象書類名】明細書
【補正対象項目名】００２６
【補正方法】変更
【補正の内容】
【００２６】
同様に、ベースキャビネット１３０には複数の比較的小さな上段引出１３２、下段引出１３４および足元収納庫１３６が備え付けられている。シンクキャビネット１４０には足元収納庫１４６および、それから天板１１０に到る高い前板を備えた引出１４４が備え付けられている。
【手続補正３】
【補正対象書類名】明細書
【補正対象項目名】００２８
【補正方法】変更
【補正の内容】
【００２８】
図２はベースキャビネット１３０の分解斜視図、図３は昇降機構を示した断面図、図４は載置部材と支持部材とを下段引出１３４に取り付けた状態を示す図である。上述したように、ベースキャビネット１３０には上段引出１３２、中央の下段引出１３４、その下の足元収納庫１３６がスライド自在に収容される。
【手続補正４】
【補正対象書類名】明細書
【補正対象項目名】００２９
【補正方法】変更
【補正の内容】
【００２９】
そして下段引出１３４には、その内部にさらに被収納物を載置可能な載置部材１５０を配置している。昇降機構１５１は、下段引出１３４がベースキャビネット１３０から引き出される動作に連動して載置部材１５０を上昇させ、また、下段引出１３４がベースキャビネット１３０へ押し込まれる動作に連動して載置部材１５０を下降させる。昇降機構１５１は、支持部材１６０とレール１９４とから構成される。支持部材１６０は、摺動部材１６４と、梁１６２ａ、１６２ｂと、摺動部材１６４から奥側に向かって連結されたアーム１６８と、アーム１６８の奥側に設けられた複数のプーリ１７０、１７２とを有している。一方、レール１９４は、ベースキャビネット１３０内の壁板１３０ａに配置されている。支持部材１６０の各要素およびレールは下段引出１３４の左右方向に対称に構成されており、梁１６２ａ、１６２ｂを除いて左右両側にそれぞれ２つ（鏡面対称に）配置されている。なお、上段引出１３２、下段引出１３４、足元収納庫１３６そのものを出し入れするためのレール機構は一般的なものでよいため、図示を省略している。
【手続補正５】
【補正対象書類名】明細書
【補正対象項目名】００４５
【補正方法】変更
【補正の内容】
【００４５】
なお、上記実施形態においてはベースキャビネット１３０の下段引出１３４について説明したが、上段引出１３２や足元収納庫１３６に載置部材１５０を設けてもよく、また他の収納庫であるコンロキャビネット１２０やシンクキャビネット１４０の引出に載置部材１５０を設けてもよい。
【手続補正６】
【補正対象書類名】明細書
【補正対象項目名】００４８
【補正方法】変更
【補正の内容】
【００４８】
１００  …キッチン、１１０  …天板、１１２  …コンロ、１１２ａ  …グリル、１１２ｂ  …操作パネル、１１４  …調理スペース、１１６  …シンク、１２０  …コンロキャビネット、１２２  …スパイスボックス、１２４  …引出、１２６  …足元収納庫、１３０  …ベースキャビネット、１３０ａ  …壁板、１３２  …上段引出、１３４  …下段引出、１３４ａ  …前板、１３６  …足元収納庫、１４０  …シンクキャビネット、１４４  …引出、１４６  …足元収納庫、１５０  …載置部材、１５１  …昇降機構、１５２  …Ｌ字部、１６０  …支持部材、１６２ａ  …梁、１６２ｂ  …梁、１６４  …摺動部材、１６６  …柱部材、１６８  …アーム、１７０   …プーリ、１７２  …プーリ、１８０  …緩衝材、１８２  …ガード部材、１８４  …軌跡、１９４  …レール